(57)【要約】
【課題】  組立ての利便性と防塵の機能を達成する光ファイバー接続器の提供。
【解決手段】  少なくとも一つの凹槽および定位槽を上に有する設置空間を備える第１カバー体１００と、少なくとも一つのラッチを有し、該ラッチを前記第１カバー体の前記凹槽中に合わせることにより固定されるゲート片２０と、円弧形本体、第１端および第２端を有し、そのうち前記円弧形本体を前記定位槽中に設置し、前記第１端を前記凹槽へ通して前記ゲート片を押さえ、前記ゲート片の開閉を制御する弾性部品９０と、上方に開口を備える設置空間を有し、前記カバー体の適当な位置にさらに少なくとも一つの誘導ピンを有し、前記弾性部品の第２端を設置して固定する第２カバー体１１０と、前記開口を前記第２カバー体に結合することにより、光信号を伝送および受信する光素子１２０と、前記開口をカバーし、前記光素子を塵および湿気の影響から保護する上蓋とを備える光ファイバー接続器。
【選択図】  図６
0003101293.tif 000002
【実用新案登録請求の範囲】
【請求項１】
光ファイバープラグとの接続に使用する光ファイバー接続器であって、
光ファイバープラグを受けるのに使用し、少なくとも一つの凹槽および定位槽を上に有する設置空間を備える第１カバー体と、
少なくとも一つのラッチを有し、該ラッチを前記第１カバー体の前記凹槽中に合わせることにより固定されるゲート片と、
円弧形本体、第１端および第２端を有し、そのうち前記円弧形本体を前記定位槽中に設置し、前記第１端を前記凹槽へ通して前記ゲート片を押さえ、前記ゲート片の開閉を制御する弾性部品と、
前記第１カバー体を設置し、上方に開口を備える設置空間を有し、前記カバー体の適当な位置にさらに少なくとも一つの誘導ピンを有し、前記弾性部品の第２端を設置して固定する第２カバー体と、
前記開口を前記第２カバー体に結合することにより、光信号を伝送および受信する光素子と、
前記開口をカバーし、前記光素子を塵および湿気の影響から保護する上蓋と
を備えることを特徴とする光ファイバー接続器。
【請求項２】
前記設置空間の両側に誘導槽をさらに有し、前記光ファイバープラグを導いて前記設置空間中へ入れることを特徴とする請求項１記載の光ファイバー接続器。
【請求項３】
前記弾性部品が金属材料またはその他の可塑性材料からなることを特徴とする請求項１記載の光ファイバー接続器。
【請求項４】
光ファイバープラグとの接続に使用する光ファイバー接続器であって、
光ファイバープラグを受けるのに使用し、少なくとも一つの凹槽を上に有する設置空間を備える第１カバー体と、
少なくとも一つのラッチを有し、該ラッチを前記第１カバー体の前記凹槽中に合わせることにより固定されるゲート片と、
少なくとも一つの円弧形本体、連結端、第１端および第２端を有し、そのうち前記円弧形本体を前記凹槽の後方に設置し、前記連結端を下向きに折り曲げてから前記ゲート片を押さえ、前記ゲート片の開閉を制御する弾性部品と、
前記第１カバー体を設置し、上方に開口を備える設置空間を有し、前記カバー体の適当な位置にさらに少なくとも一つの誘導ピンを有し、前記弾性部品の第１端および第２端を設置して固定する第２カバー体と、
前記開口を前記第２カバー体に結合することにより、光信号を伝送および受信する光素子と、
前記開口をカバーし、前記光素子を塵および湿気の影響から保護する上蓋と
を備えることを特徴とする光ファイバー接続器。
【請求項５】
前記設置空間の両側に誘導槽をさらに有し、前記光ファイバープラグを導いて前記設置空間中へ入れることを特徴とする請求項４記載の光ファイバー接続器。
【請求項６】
前記弾性部品が金属材料またはその他の可塑性材料からなることを特徴とする請求項４記載の光ファイバー接続器。
【請求項７】
光ファイバープラグとの接続に使用する光ファイバー接続器であって、
光ファイバープラグを受けるのに使用し、少なくとも一つの凹槽および定位槽を上に有する設置空間を備える第１カバー体と、
少なくとも一つのラッチを有し、該ラッチを前記第１カバー体の前記凹槽中に合わせることにより固定されるゲート片と、
少なくとも一つの円弧形本体、連結端、第１端および第２端を有し、そのうち前記円弧形本体を前記凹槽の後方に設置し、前記連結端を下向きに折り曲げてから前記ゲート片を押さえ、前記ゲート片の開閉を制御する弾性部品と、
前記第１カバー体を設置し、上方に開口を備える設置空間を有する第２カバー体と、
前記開口を前記第２カバー体に結合し、複数個の信号端子を有し、光信号を伝送および受信する光素子と、
複数個の信号端子を有し、前記端子座を前記光素子に接続してから前記開口中へ設置し、前記端子の一端を前記光素子の前記信号端子へ接続し、もう一つの一端を固定素子上に接続することにより、前記光素子を塵および湿気の影響から保護する端子座と
を備えることを特徴とする光ファイバー接続器。
【請求項８】
前記設置空間の両側に誘導槽をさらに有し、前記光ファイバープラグを導いて前記設置空間中へ入れることを特徴とする請求項７記載の光ファイバー接続器。
【請求項９】
前記弾性部品が金属材料またはその他の可塑性材料からなることを特徴とする請求項７記載の光ファイバー接続器。
【考案の詳細な説明】
【技術分野】
【０００１】
本考案は光ファイバー接続器に関し、特に、ゲート片が弾性部品の弾力によりゲート片の開閉を制御し、組立ての利便性と防塵の機能を達成する、ゲート片および弾性部品を備えた光ファイバー接続器に関する。
【背景技術】
【０００２】
図１に示すのは、従来技術における光ファイバー接続器の組合わせを示す斜視図であり、それは底蓋Ａ、栓Ｂ、カバー体Ｃおよび光トランシーバＤを含む。接続器本体は防塵蓋を有していないため、隙間から塵が接続器本体中へ進入することがあり、一定の時間がたつと光トランシーバＤの発射および受信に影響を与える。また、栓Ｂをカバー体Ｃに挿入すると、接続器本体は防塵機能を備えるが、栓Ｂが容易に抜けて紛失してしまう欠点がある。
【０００３】
そのため、本考案は光ファイバー接続器を提供し、それが有するゲート片および弾性部品により、ゲート片が弾性部品の弾力によりゲート片の開閉を制御し、組立ての利便性および防塵の機能を達成する。
【特許文献１】特開平８−０２１９２５号公報
【考案の開示】
【考案が解決しようとする課題】
【０００４】
本考案の主な目的は、ゲート片および弾性部品を備え、ゲート片が弾性部品の弾力によりゲート片の開閉を制御し、組立ての利便性および防塵の機能を達成する光ファイバー接続器を提供することにある。
【課題を解決するための手段】
【０００５】
上で述べた目的を達成するために、本考案の光ファイバー接続器は、光ファイバープラグを受けるのに使用し、少なくとも一つの凹槽および定位槽を上に有する設置空間を備える第１カバー体と、少なくとも一つのラッチを有し、ラッチを第１カバー体の凹槽中に合わせることにより固定されるゲート片と、円弧形本体、第１端および第２端を有し、そのうち円弧形本体を定位槽中に設置し、第１端を凹槽へ通してゲート片を押さえることにより、ゲート片の開閉を制御する弾性部品と、第１カバー体を設置し、上方に開口を備える設置空間を有し、カバー体の適当な位置にさらに少なくとも一つの誘導ピンを有して弾性部品の第２端を設置して固定する第２カバー体と、開口を第２カバー体に結合することにより、光信号を伝送および受信する光素子と、開口をカバーすることにより光素子を塵および湿気の影響から保護する上蓋とを備える。
【０００６】
すなわち、本考案の光ファイバー接続器は、以下に述べる特徴を有する。
１．光ファイバープラグとの接続に使用する光ファイバー接続器であって、
光ファイバープラグを受けるのに使用し、少なくとも一つの凹槽および定位槽を上に有する設置空間を備える第１カバー体と、
少なくとも一つのラッチを有し、該ラッチを前記第１カバー体の前記凹槽中に合わせることにより固定されるゲート片と、
円弧形本体、第１端および第２端を有し、そのうち前記円弧形本体を前記定位槽中に設置し、前記第１端を前記凹槽へ通して前記ゲート片を押さえ、前記ゲート片の開閉を制御する弾性部品と、
前記第１カバー体を設置し、上方に開口を備える設置空間を有し、前記カバー体の適当な位置にさらに少なくとも一つの誘導ピンを有し、前記弾性部品の第２端を設置して固定する第２カバー体と、
前記開口を前記第２カバー体に結合することにより、光信号を伝送および受信する光素子と、
前記開口をカバーし、前記光素子を塵および湿気の影響から保護する上蓋と
を備えることを特徴とする。
２．前記設置空間の両側に誘導槽をさらに有し、前記光ファイバープラグを導いて前記設置空間中へ入れることを特徴とする。
３．前記弾性部品が金属材料またはその他の可塑性材料からなることを特徴とする。
４．光ファイバープラグとの接続に使用する光ファイバー接続器であって、
光ファイバープラグを受けるのに使用し、少なくとも一つの凹槽を上に有する設置空間を備える第１カバー体と、
少なくとも一つのラッチを有し、該ラッチを前記第１カバー体の前記凹槽中に合わせることにより固定されるゲート片と、
少なくとも一つの円弧形本体、連結端、第１端および第２端を有し、そのうち前記円弧形本体を前記凹槽の後方に設置し、前記連結端を下向きに折り曲げてから前記ゲート片を押さえ、前記ゲート片の開閉を制御する弾性部品と、
前記第１カバー体を設置し、上方に開口を備える設置空間を有し、前記カバー体の適当な位置にさらに少なくとも一つの誘導ピンを有し、前記弾性部品の第１端および第２端を設置して固定する第２カバー体と、
前記開口を前記第２カバー体に結合することにより、光信号を伝送および受信する光素子と、
前記開口をカバーし、前記光素子を塵および湿気の影響から保護する上蓋と
を備えることを特徴とする。
５．前記設置空間の両側に誘導槽をさらに有し、前記光ファイバープラグを導いて前記設置空間中へ入れることを特徴とする。
６．前記弾性部品が金属材料またはその他の可塑性材料からなることを特徴とする。
７．光ファイバープラグとの接続に使用する光ファイバー接続器であって、
光ファイバープラグを受けるのに使用し、少なくとも一つの凹槽および定位槽を上に有する設置空間を備える第１カバー体と、
少なくとも一つのラッチを有し、該ラッチを前記第１カバー体の前記凹槽中に合わせることにより固定されるゲート片と、
少なくとも一つの円弧形本体、連結端、第１端および第２端を有し、そのうち前記円弧形本体を前記凹槽の後方に設置し、前記連結端を下向きに折り曲げてから前記ゲート片を押さえ、前記ゲート片の開閉を制御する弾性部品と、
前記第１カバー体を設置し、上方に開口を備える設置空間を有する第２カバー体と、
前記開口を前記第２カバー体に結合し、複数個の信号端子を有し、光信号を伝送および受信する光素子と、
複数個の信号端子を有し、前記端子座を前記光素子に接続してから前記開口中へ設置し、前記端子の一端を前記光素子の前記信号端子へ接続し、もう一つの一端を固定素子上に接続することにより、前記光素子を塵および湿気の影響から保護する端子座と
を備えることを特徴とする。
８．前記設置空間の両側に誘導槽をさらに有し、前記光ファイバープラグを導いて前記設置空間中へ入れることを特徴とする。
９．前記弾性部品が金属材料またはその他の可塑性材料からなることを特徴とする。
【考案の効果】
【０００７】
ゲート片および弾性部品を備え、ゲート片が弾性部品の弾力によりゲート片の開閉を制御し、組立ての利便性および防塵の機能を達成する光ファイバー接続器を提供することができる。
【考案を実施するための最良の形態】
【０００８】
図２および図３は、本考案の好適な実施例による光ファイバー接続器の分解斜視図および組立て断面図である。図に示すように、本考案の光ファイバー接続器は主に第１カバー体１０、ゲート片２０、弾性部品３０、第２カバー体４０、光素子５０および上蓋６０からなる。
【０００９】
そのうち第１カバー体１０は、光ファイバープラグ（図示しない）を受ける設置空間１１を有し、その上には少なくとも一つの凹槽１２および定位槽１３を有し、その定位槽１３の形状は本実施例中では円弧形であり、それは必要に応じて変えることができ、設置空間１１内にはさらに誘導槽１４がある。ゲート片２０は少なくとも一つのラッチ２１を有し（本実施例中では二個のラッチ２１である。）、ラッチ２１を第１カバー体１０の凹槽１２中に合わせることにより、ゲート片２０を固定する。弾性部品３０は円弧形本体３１、第１端３２および第２端３３を有し、そのうち円弧形本体３１は定位槽１３中に設置することができ、第１端３２は凹槽１２を通ってゲート片２０を押さえ、弾性部品３０の弾力によりゲート片２０の開閉を制御する。第２カバー体４０は第１カバー体１０を収納して上部に開口４３を有する設置空間４１を備え、第２カバー体４０の適当な位置には他に少なくとも一つの誘導ピン４２を有し、弾性部品３０の第２端３３を設置して固定する。光素子５０は発光ダイオード（ＬＥＤ）５１およびカバー体５２を含み、開口４３を第２カバー体４０に結合することにより、光信号を伝送および受信することができる。そして、上蓋６０が開口４３をカバーし、光素子５０を塵および湿気の影響から守る。そのうち、設置空間４１の両側は誘導槽４４をさらに有し、第１カバー体１０が設置空間４１中へ入るように導く。弾性部品３０は好適には金属材料またはその他の可塑性材料から製造する。
【００１０】
本考案の光ファイバー接続器を組合わせてから、光ファイバープラグ（図示しない）を接続器に挿入すると、まずゲート片２０に接触する。そして、光ファイバープラグが誘導槽１４に沿って設置空間１１に継続して挿入されると、弾性部品３０の第１端３２は力を受けて曲がり、光ファイバープラグは設置空間１１へ完全に入るまで挿入することができる。光ファイバープラグを設置空間１１から抜くと、ゲート片２０を弾性部品３０の第１端３２の弾力により元の位置へ戻し、簡易な組立てと防塵の効果を達成する。
【００１１】
図４および図５に示すのは、本考案のもう一つの好適な実施例による光ファイバー接続器の分解斜視図および組立断面図である。図に示すように、本考案の光ファイバー接続器は主に第１カバー体７０、ゲート片２０、弾性部品８０、第２カバー体４０、光素子５０および上蓋６０からなる。
【００１２】
そのうち第１カバー体７０は、光ファイバープラグ（図示しない）を受ける設置空間７１を有し、その上には少なくとも一つの凹槽７２および誘導槽７３を有し、ゲート片２０は少なくとも一つのラッチ２１を有し（本実施例中では二個のラッチ２１である。）、ラッチ２１を第１カバー体７０の凹槽７２中に合わせることにより、ゲート片２０を固定する。弾性部品８０は、円弧形本体８１および８３、連結端８２、第１端８４および第２端８５を有し、そのうち円弧形本体８１および８３を凹槽７２の後方へ設置し、連結端８２を下向きに折り曲げてからゲート片２０を押さえることにより、ゲート片２０の開閉を制御する。第２カバー体４０は第１カバー体７０を収納して上部に開口４３を有する設置空間４１を備え、第２カバー体４０の適当な位置には他に少なくとも一つの誘導ピン４２を有し、弾性部品８０の円弧形本体８１および８３をそれぞれ設置して固定する。光素子５０は、発光ダイオード（ＬＥＤ）５１およびカバー体５２を含み、開口４３を第２カバー体４０に結合することにより、光信号を伝送および受信することができる。そして、上蓋６０は開口４３をカバーして、光素子５０を塵および湿気の影響から守る。そのうち、設置空間４１の両側は誘導槽４４をさらに有し、第１カバー体７０が設置空間４１中へ入るように導く。また、弾性部品８０は好適には金属材料またはその他の可塑性材料から製造する。
【００１３】
本考案の光ファイバー接続器を組合わせた後、光ファイバープラグ（図示しない）を接続器に挿入すると、まずゲート片２０に接触する。そして、光ファイバープラグが誘導槽７３に沿って設置空間７１に継続して挿入されると、弾性部品８０の連結端８２は力を受けて折れ曲がり、光ファイバープラグは設置空間７１へ完全に入るまで挿入することができる。光ファイバープラグを設置空間７１から抜くと、ゲート片２０は円弧形本体８１および８３の弾力により元の位置に戻り、容易な組立てと防塵の効果を達成する。
【００１４】
図６および図８に示すのは、本考案のさらにもう一つの好適な実施例における光ファイバー接続器の分解斜視図および組立断面図である。図に示すように、本考案の光ファイバー接続器は主に第１カバー体１００、ゲート片２０、弾性部品９０、第２カバー体１１０、光素子１２０および端子座１３０からなる。
【００１５】
そのうち、第１カバー体１００は、光ファイバープラグ（図示しない）を受ける設置空間１０１を有し、その上には少なくとも一つの凹槽１０２および誘導槽１０３を有し、ゲート片２０は少なくとも一つのラッチ２１を有し（本実施例中では二個のラッチ２１である。）、ラッチ２１を第１カバー体１００の凹槽１０２中に合わせることにより、ゲート片２０を固定する。弾性部品９０は、円弧形本体９１および９３、連結体９２および第１端９４を有し、そのうち円弧形本体９１および９３を凹槽１０２の後方へ設置し、連結体９２を下向きに折り曲げてからゲート片２０を押さえることにより、ゲート片２０の開閉を制御する。第２カバー体１１０は第１カバー体１００を収納して上部に開口１１３を有する設置空間１１１を備える。光素子１２０は発光ダイオード（ＬＥＤ）１２１、カバー体１２２および複数個の端子１２３を含み、開口１１３を第２カバー体１１０に結合し、発光ダイオード１２１を使用して光信号を伝送および受信する。そして、端子座１３０も複数個の信号端子１３２を有し、端子座１３０を光素子１２０に結合してから開口１１３中に設置し、端子１３２の一端を光素子１２０の端子１２３に接続し、もう一つの一端を固定素子（例えば印刷回路板）上へ接続することにより、光素子を塵および湿気の影響から守る。そのうち、設置空間１１１の両側にはさらに誘導ピン１１４を有し、第１カバー体１００が設置空間中へ入るように導く。弾性部品９０は、好適には金属材料またはその他の可塑性材料から製造する。
【００１６】
本考案の光ファイバー接続器を組合わせた後、光ファイバープラグ（図示しない）を接続器に挿入すると、まずゲート片２０に接触する。光ファイバープラグが誘導槽１０３に沿って設置空間１０１に継続して挿入されると、弾性部品９０の連結体９２は力を受けて折れ曲がり、光ファイバープラグは設置空間１０１へ完全に入るまで挿入することができる。光ファイバープラグを設置空間１０１から抜くと、ゲート片２０が弾性部品９０の円形本体９１および９３の弾力により元の位置に戻り、簡易な組立てと防塵の効果を達成することができる。
【００１７】
本実施例が開示したものは、単なる好適な実施例であり、一部の変更または修飾が本考案の技術思想をもとにして、当該技術に習熟しているものであるならば容易に推測することができるものは、本考案の権利の範疇を脱しないものとする。
【図面の簡単な説明】
【００１８】
【図１】従来の光ファイバー接続器の組合わせを示す斜視図である。
【図２】本考案の好適な実施例による、光ファイバー接続器を示す分解斜視図である。
【図３】本考案の好適な実施例による、光ファイバー接続器を示す断面図である。
【図４】本考案のもう一つの好適な実施例による、光ファイバー接続器を示す分解斜視図である。
【図５】本考案のもう一つの好適な実施例による、光ファイバー接続器を示す断面図である。
【図６】本考案のさらにもう一つの好適な実施例による、光ファイバー接続器を示す分解斜視図である。
【図７】本考案のさらにもう一つの好適な実施例による、光ファイバー接続器を示す断面図である。
【図８】本考案のさらにもう一つの好適な実施例による、光ファイバー接続器の作動時を示す断面図である。
【符号の説明】
【００１９】
１  光ファイバー接続器
１０  第１カバー体
１１  設置空間
１２  凹槽
１３  定位槽
１４  誘導槽
２０  ゲート片
２１  ラッチ
３０  弾性部品
３１  円弧形本体
３２  第１端
３３  第２端
４０  第２カバー体
４１  設置空間
４２  誘導ピン
４３  開口
４４  誘導槽
５  光素子
５１  発光ダイオード
５２  カバー体
６０  上蓋
７０  第１カバー体
７１  設置空間
７２  凹槽
７３  誘導槽
８０  弾性部品
８１  円弧形本体
８３  円弧形本体
８２  連結端
８４  第１端
８５  第２端
９０  弾性部品
９１  円弧形本体
９３  円弧形本体
９２  連結体
９４  第１端
９５  第２端
１００  第１カバー体
１０１  設置空間
１０２  凹槽
１０３  誘導槽
１１０  第２カバー体
１１１  設置空間
１１３  開口
１１４  誘導ピン
１２０  光素子
２１  発光ダイオード
１２２  カバー体
１２３  端子
１３０  端子座
１３１  開口
１３２  端子
Ａ  底蓋
Ｂ  栓
Ｃ  カバー体
Ｄ  光トランシーバ
【図１】
0003101293.tif 000003
【図２】
0003101293.tif 000004
【図３】
0003101293.tif 000005
【図４】
0003101293.tif 000006
【図５】
0003101293.tif 000007
【図６】
0003101293.tif 000008
【図７】
0003101293.tif 000009
【図８】
0003101293.tif 000010